(57)【要約】【課題】締付ナットを要さずＤＶ線を係留状態に安定的に維持することができるようにする。また、製造コストを軽減すると共に、ＤＶ線係留作業を容易にする。【解決手段】合成樹脂製の略直方体状の留具本体１は一端部に透孔３を形成すると共に両側面に該透孔に近い側から順に第１巻軸部４と第２巻軸部５と第３巻軸部６を適宜間隔を離して略直線状に並ぶように突設し該各巻軸部の先端には鍔部４′，５′，６′を一体に形成してなり、ＤＶ線１０を第１巻軸部と第２巻軸部に略８字状をなすように巻回するとともに、該ＤＶ線を垂下側部１０ｃが引張側部１０ａよりも内側となるように第３巻軸部の外周片面に係留し、前記透孔に止金具１２を挿通して牽引することにより該ＤＶ線を架空する。【選択図】図２
2007006569.tif 000002
【特許請求の範囲】
【請求項１】
合成樹脂製の略直方体状の留具本体は一端部に透孔を形成すると共に両側面に該透孔に近い側から順に第１巻軸部と第２巻軸部と第３巻軸部を適宜間隔を離して略直線状に並ぶように突設し該各巻軸部の先端には鍔部を一体に形成してなり、ＤＶ線を第１巻軸部と第２巻軸部に略８字状をなすように巻回するとともに、該ＤＶ線を垂下側部が引張側部よりも内側となるように第３巻軸部の外周片面に係留し、前記透孔に止金具を挿通して牽引することにより該ＤＶ線を架空することを特徴としたＤＶ線引留構造。
【請求項２】
第３巻軸部が突設されている部位の留具本体の両側面と鍔部との間隙はＤＶ線の直径より大きく該直径の２倍未満に設定し、該間隙にＤＶ線の垂下側部と引張側部を挿入した請求項１に記載のＤＶ線引留構造。
【発明の詳細な説明】
【技術分野】
【０００１】
本発明は、主に電柱から家屋へ電力を引き込むために使用されるビニル絶縁電線（ＤＶ線という）を引留する構造に関するものである。
【背景技術】
【０００２】
ＤＶ線を家屋に引き込むに際して使用される合成樹脂製の引留具は、下記特許文献１〜４により知られているように、留具本体の端部に螺子軸が一体に形成され、該螺子軸の先端部に止金具を挿通し得る透孔が開設され、留具本体の両側面にはＤＶ線が巻回される複数の巻軸部が一体に形成され、該巻軸部の先端に形成された鍔部が前記螺子軸の基部の両側に張り出しており、該螺子軸に螺合した締付ナットを螺締することでＤＶ線が挟着されるようにしたものである。
【特許文献１】特開平７−２９８４６４号公報
【特許文献２】特開平９−２２４３２０号公報
【特許文献３】特開平９−３０８０６６号公報
【特許文献４】特許第３５７４４４１号公報
【発明の開示】
【発明が解決しようとする課題】
【０００３】
ところで、上記締付ナットは、作業者が高所にていちいち締め付ける作業が面倒であると共に、その締付力が弱いと強風に伴う振動等により緩むおそれがあり、反対に強く締めるとＤＶ線のビニル被覆を傷付け漏電の原因となる恐れがあった。また、締付ナットを別部品として必要とするために部品点数が増え、その組み付けにも手間が掛かり、製造コストを高くしているという問題があった。
そこで本発明は、締付ナットを要することなくＤＶ線を確実に係留可能にするＤＶ線引留構造を提供するものである。
【課題を解決するための手段】
【０００４】
そのために請求項１に記載のＤＶ線引留構造は、合成樹脂製の略直方体状の留具本体は一端部に透孔を形成すると共に両側面に該透孔に近い側から順に第１巻軸部と第２巻軸部と第３巻軸部を適宜間隔を離して略直線状に並ぶように突設し該各巻軸部の先端には鍔部を一体に形成してなり、ＤＶ線を第１巻軸部と第２巻軸部に略８字状をなすように巻回するとともに、該ＤＶ線を垂下側部が引張側部よりも内側となるように第３巻軸部の外周片面に係留し、前記透孔に止金具を挿通して牽引することにより該ＤＶ線を架空することを特徴とする。
また請求項２に記載の発明は、上記ＤＶ線引留構造において、第３巻軸部が突設されている部位の留具本体の両側面と鍔部との間隙はＤＶ線の直径より大きく該直径の２倍未満に設定し、該間隙にＤＶ線の垂下側部と引張側部を挿入したことを特徴とする。
【発明の効果】
【０００５】
請求項１に記載したＤＶ線引留構造によれば、ＤＶ線の剛性により係留状態を安定的に維持することができる。また、締付ナットを要しないので、製造コストが軽減されると共に、面倒な締め付け作業を要さず、締付力の不具合が発生するおそれもないのでＤＶ線係留作業が容易となる。
請求項２に記載した引留構造では、ＤＶ線の抜脱が防止される。
【発明を実施するための最良の形態】
【０００６】
以下に本発明の実施の形態を図面と共に説明する。図１は本発明に係る合成樹脂（ＡＢＳ樹脂）製の略直方体状の留具本体１の斜視図で、その一端部に一体に形成された軸状部２に長孔状の透孔３を形成し、両側面の対称位置には該透孔に近い側から順に第１巻軸部４、第２巻軸部５、第３巻軸部６が適宜間隔を離して略直線状に並ぶように突設され、第１巻軸部４の先端に鍔部４′、第２巻軸部５の先端に鍔部５′、第３巻軸部６の先端に鍔部６′を夫々一体に形成してなる。なお、鍔部４′は上下方向および軸状部２方向に張り出し、鍔部５′は上下方向に張り出し、鍔部６′は上方向のみに張り出す形態に夫々形成されている。なお、７は留具本体１を均肉に成形するため該留具本体１の上下両面に形成された窪みである。
【０００７】
主に電柱から一般家屋への低圧電力の架空引込み電線として使用されるＤＶ線は、周知のように、直径２〜４ｍｍ程度の硬銅を導体としその周囲に絶縁用のビニル被覆を形成してなり、手で自由に折り曲げられる反面、一定の剛性を有していることからその折曲状態が保持されるといった機械的性質を持つ。しかして電柱（図示せず）から連なる該ＤＶ線を上記留具本体１に係留するに際しては、図２〜図６に示したように、２本のＤＶ線１０の引張側部１０ａを先ず第２巻軸部５の上側から第１巻軸部４の下側に通した後、該第１巻軸部４の周りに巻回し、該ＤＶ線１０の中程１０ｂを該第１巻軸部４の上側から第２巻軸部５の下側を通し、第３巻軸部６の上側に導くことで、該ＤＶ線１０を第１巻軸部４と第２巻軸部５に対し略８字状をなすように巻回する。次いで、該ＤＶ線の垂下側部１０ｃを第３巻軸部６の上側面に係留させ該垂下側部１０ｃが家屋側に連なるようにするとともに、該垂下側部１０ｃが内側となるように前記引張側部１０ａを該垂下側部１０ｃの上に係留する。そして、止金具１２を前記透孔３に挿通し、該止金具１２を家屋外壁１１に固定されたフック１５に引っ掛けることにより該ＤＶ線１０を電柱等から引っ張り状態に架空する。
【０００８】
なお、図６に示されるように、第３巻軸部６，６が突設されている部位の留具本体１の両側面と鍔部との間隙１３をＤＶ線１０の直径より大きく該直径の２倍未満に設定し、該間隙にＤＶ線１０の引張側部１０ａと該垂下側部１０ｃとが挿入されるようにすることにより、上側に位置する引張側部１０ａの張力により下側に位置する垂下側部１０ｃが押さえられ、強風等によって該垂下側部１０ｃが揺れても該間隙１３から抜脱し難くすることができる。
【０００９】
また、図７に示したように、第３巻軸部６，６が突設されている部位の留具本体１の両側面と鍔部との間隙１３をＤＶ線１０の直径より大きく該直径の２倍未満に設定すると共に、該間隙１３の奥部１４をこれより広く設定することにより、該奥部１４にＤＶ線１０の垂下側部１０ｃが挿入され、間隙１３部分に引張側部１０ａが位置することで垂下側部１０ｃが一層抜脱し難くなるようにしたものである。
【００１０】
なお以上の実施形態は、ＤＶ線を家屋側に引留する使用例を示したが、本発明のＤＶ線引留構造はＤＶ線を家屋側に引留するに限らず、ＤＶ線を電柱側に引留する場合、或いはＤＶ線を電柱間に架設したメッセンジャーケーブルに引留する場合にも使用できる。図８はＤＶ線を電柱側に引留する場合を例示したもので、この場合、止金具１２を電柱１６に巻着固定されたバンド１７に引っ掛けることによりＤＶ線１０が引っ張り状態に架空される。なお、同図中のその他の符号は図２と同一部分を示すので説明を割愛する。
【００１１】
以上のように本発明では、ＤＶ線を第１巻軸部と第２巻軸部に対し略８字状をなすように巻回し、その巻回状態が保たれるように該ＤＶ線の垂下側部と引張側部を第３巻軸部に係留させたことにより、従来のように締付ナットを要することなく、ＤＶ線を風等による振動によって緩むおそれもなく安定した係留をすることができる。
【図面の簡単な説明】
【００１２】
【図１】本発明に係るＤＶ線引留構造の留具本体の斜視図。
【図２】本発明に係るＤＶ線引留構造を示す斜視図。
【図３】図２の要部拡大側面図。
【図４】図２の要部拡大平面図。
【図５】図２の要部拡大下面図。
【図６】図３のＡ−Ａ線矢視図。
【図７】図６の他の実施形態を示した図。
【図８】本発明に係るＤＶ線引留構造の他の使用例を示した斜視図。
【符号の説明】
【００１３】
１          留具本体
３          透孔
４          第１巻軸部
４′        第１巻軸部の鍔部
５          第２巻軸部
５′        第２巻軸部の鍔部
６          第３巻軸部
６′        第３巻軸部の鍔部
１０        ＤＶ線
１０ａ      ＤＶ線の引張側部
１０ｃ      ＤＶ線の垂下側部
１２        止金具
１３        間隙
【図１】
2007006569.tif 000003
【図２】
2007006569.tif 000004
【図３】
2007006569.tif 000005
【図４】
2007006569.tif 000006
【図５】
2007006569.tif 000007
【図６】
2007006569.tif 000008
【図７】
2007006569.tif 000009
【図８】
2007006569.tif 000010